(57)【要約】【課題】  ゴルフバッグ、ゴルフクラブ、ゴルフボール、帽子等のゴルフセットは、大きな物から小さな物まで含み、これまで家庭に置ける収納は、大きな物と小さな物をそれぞればらばらに収納、整理していた。しかしゴルフに行く時にはどれも必要となるため用意するときは大変面倒であった。【解決手段】  これらゴルフセットを一まとめに収納、整理しかつ、居間や応接間などに室内展示できるような品質、機能をもったラックとして用意した。比較的高価なゴルフバッグやゴルフクラブは、案内展示し、ゴルフボール他の小物は収納整理し、外観上もみえなくなった。これらを一体に構成するとともに、メモリアルボールなど記念品は、家庭内や来客の間でも話題作りのために飾れるように構成もした。【選択図】図１
2010063860.tif 000002
【特許請求の範囲】
【請求項１】
ゴルフ用バッグやゴルフクラブに加え、ゴルフボール、ゴルフ用手袋、帽子等のゴルフセットを一まとめに整理、収納し、かつ室内展示する用具であって、該ゴルフ用バッグやゴルフクラブは展示支持し、該ゴルフボールや該ゴルフ手袋、該ゴルフ用帽子等の小物を、収納できる収納部を持つことを特徴とするゴルフセットを整理するためのラック。
【請求項２】
前記ゴルフ用セットを一まとめに整理収納し、室内展示するだけでなく、メモリアルボールや帽子などの記念品も展示できるように構成したことを特徴とする請求項１に示したゴルフセットを整理し、室内展示するためのラック。
【請求項３】
前記ゴルフ用セットを一まとめに整理し、収納、室内展示するにあたって、整理、収納していたものを、室内展示するための付属備品を用意し、ユーザが幾つかの室内展示を選択できるようにしたことを特徴とするゴルフセットを整理し、室内展示するためのラック。
【請求項４】
前記ゴルフ用セットを、整理し、展示する機能に加え日焼け止めクリームを塗ったり、帽子をかぶったりするなどの際に必要となる鏡などのゴルフに出かける際の準備用具も具備してあることを特徴とする請求項１に示したゴルフセットを整理し室内展示するためのラック。
【請求項５】
前記小物等を収納した前記収納部は、外観上見えないようにした構成をとり、室内展示するに当っての品質を高めるようにしたことを特徴とする請求項１に示したゴルフセットを整理し、室内展示するためのラック
【請求項６】
前記ゴルフバッグを展示支持する構成部は、同時にゴルフクラブを展示支持できる構成部として兼用できるように構成したことを特徴とする請求項１に示したゴルフセットを整理し、室内展示するためのラック
【発明の詳細な説明】
【発明の詳細な説明】
【技術分野】
【０００１】  本発明は、ゴルフセットを整理し、室内展示するためのラックに関する
【背景技術】
【０００２】  本や書類、小物などを室内で整理し、展示するためのラックは例えば正方形の箱を基本にして、縦に２〜３個並べたものやそれを幾つか組み合わせて本棚に代わって設置するようなもの、横に２〜３個並べ、その上にＴＶやＤＶＤのプレーヤーを設置するタイプや使い方など色々知られている。【０００３】  また、商品の展示用ラックとしては、パンフレットを並べるためのラック、特殊な容器を展示するものなども知られている。これらは同一種類のものを複数個商品展示するためのラックで、駅やホテル、観光案内所、旅行会社などのガイドブックや観光案内用パンフレットなどの設置場所として利用されている。また図書館などでも雑誌など毎月購入される本の室内展示用として使われている。【０００４】
【特許文献】登録実用新案  第３１１０１５１号  特許公開２００１−５１１３８１  特開２００４−３０２１４９
【発明が解決しようとする課題】
【０００５】  ゴルフクラブ、ゴルフバッグ、ゴルフ用シューズ、ゴルフ用ボール、ゴルフ用手袋そして帽子などを含めたゴルフセットは、大きなものから小物まで、形状も種種雑多である。こうしたものは、従来の既製品であるラックには納まりきれず、室内で整理する場合、それぞれ個々に整理し、収納するしかなかった。多くの場合、ゴルフバッグなどは、納屋や納戸に置き、他のものは別の部屋の引き出し等に収納するという場合もあった。
【０００６】  しかし、ゴルフに行くときには、ワンセット分すべて必要となるため、整理収納を一ヶ所にできると便利であった。また最近は、女性のゴルファーも増え、夫婦でゴルフに行くケースも増えているので、二個のゴルフバッグを整理・収納することが可能なラックが求められていた。
【０００７】  また、考え方を整理、収納するという点から一歩進め、ゴルフ大会で優勝したり、好成績を収めた時やホールインワンを実現したときのメモリアルボールなども、室内展示できるものも求められていた。
【課題を解決するための手段】
【０００８】  そこで本願では、ゴルフセットを、一まとめに整理、収納し、かつ室内展示できるために、ゴルフクラブやゴルフバッグを展示支持する構成部と、ゴルフ用ボール、ゴルフ用手袋、帽子などの小物を整理、収納できる構成部とを備えたラックを考えた。
【０００９】  またゴルフバッグを展示支持する構成部は、二つのゴルフバッグを展示支持できるように構成し、そのうち一つは、ゴルフクラブの展示支持と兼用できるようにし、一人用、二人用として兼用できるラックとした。
【００１０】  記念用のボールや帽子などの記念品を付加的に取り付ける事ができるように付加部品を備え、ラックに付設できるようにした。
【発明の効果】
【００１１】  本願発明によって、ゴルフクラブセットが一ヶ所に室内整理されるため、ゴルフに出かける時の用意や装着が大変はかどり、また帰って来た時の整理もやりやすくなった。これまでのように、一つにまとめて整理、収納できないときには、準備に時間がかかったが、その分時間節約できるだけでなく、忘れ物もほとんどなくすことができるようになった。
【００１２】  ゴルフクラブやゴルフバッグは、大変高価なものであり、それを見えるように室内展示しても、部屋の装飾を損なうことはなく、一方で、小物は、外観上見えないように収納すれば、これも居間や応接室などの室内に設置し、損色はなく、却って、室内装飾にもアックセントをつけることが可能となる。
【００１３】  それに加え、ホールインワンなどのメモリアルボールや、ゴルフ大会で優勝したときの帽子なども、付加的に飾ることができるようにすれば、部屋に訪れた来客や縁者などの間での話題を提供することになり、室内展示の意味が生かされる。
【００１４】  鏡なども、整理、収納部の開平蓋の裏面に取付けることにより、帽子をかぶった時の様子や日焼け止めクリームなどの塗る等のゴルフ準備の為のサポートをはたすこともできるという効果もあった。
【具体的な実施例】
【００１５】  図１は、本願発明のラックの一実施例の正面外観図である。（２）はラックの基台、（４）は正面ラック、（６）、（８）は支持台、（１０）、（１２）は背面支持部、（１４）は収納部である。
【００１６】  図２は、このラックに付属している四つの部品図で（１６）はメモリアルボールスタンド、（１８）はパターハンガー、（２０）はグリップホルダー、（２２）はキャップ、あるいはグローブハンガーである。
【００１７】  図３は、図１に示したラックに、図２に示した部品を取付け、その上で所定のゴルフセットを設置した時の組み立て想定図である。
【００１８】  図３では、ラックの正面左側の支持台（６）と背面支持部（１０）はゴルフバッグ（２４）を設置（展示）支持している。また、支持台（８）と背面支持部（１２）は、ここではゴルフバッグを置かず、支持台（８）にはめ込んだグリップホルダーにゴルフクラブ（２６）をいくつか置き、背面支持部（１２）はこのシャフト部を支えている。
【００１９】  また、正面ラック（４）の収納部（１４）の一番上にある開閉蓋（２８）の裏には鏡（３０）を取り付け、これを図のように開けた位置で固定支持するようにしているため、小さな鏡台としての機能をはたすようにしている。ラックに整理され、収納していたものを身につけ、ゴルフにでかけるに当って鏡を見て、身支度をできるようにしている。
【００２０】  この図３に示したラックには、図２に示したその他の部品を取り付けることにより、ゴルフ大会等で、ホールインワンをした時や優勝したときのメモリアルボールや帽子なども常に見えるように展示できるようにしている。背面支持部（１２）に取り付けたメモリアルボールスタンド（１６）には、メモリアルボール（３２）が飾られている。背面支持部（１０）には、キャップ、グローブハンガー（２２）が取り付けられ、ここにもゴルフキャップ（３４）が飾られている。
【００２１】  また、背面支持部（１２）には、パターハンガー（１８）が取り付けられ、パター（３６）のヘッドを下にして設置（展示）して展示できるようにしている。収納部（１４）は、幾つかの収納部に小間分けされ、ゴルフシューズ、ゴルフボール、手袋などに加え、日焼け止めクリームやハンドクリームなども、それぞれの大きさに対応して、収納できるようにしている。このように本発明によるラックは、ゴルフセットを一まとめに整理、収納し、かつメモリアルボール等の記念品なども付加的に展示できるようにしている。
【００２２】  図４は、図１に示したラックにゴルフバッグを設置（展示）した時の一実施例の写真図である。ここでは、図２で示した部品は取り付けず、二個のゴルフバッグをすっきりと設置（展示）している。左側のゴルフバッグ（３８）は、支持台（６）と背面支持部（１０）で設置（展示）し、右側のゴルフバッグ（４０）は、支持台（８）と背面支持部（１２）で設置（展示）している。
【００２３】  図５は、第１図から第２図に示した本発明によるラックをその時のユーザの使用目的によって図４以外にも幾つかの使い勝手に応じて使用している事例を示した写真図である。
【００２４】  図５（ａ）は正面ラック（４）の背面支持部（１０）、（１２）を折り畳み、基台（２）と別体になり、かつ図２で示した部品を、それぞれ別々にして写した写真図である。
【００２５】  図５（ｂ）は、基台（２）に正面ラック（４）を取り付け、背面支持部（１０）、（１２）を左右に広げ、それぞれキャップ、グローブハンガー（２２）とメモリアルボールスタンド（１６）を取り付けたものである。左右にゴルフバッグを置けば、図４の写真図となる。
【００２６】  図５（ｃ）は、基本的に図３と同じセッティングで、立てかけているゴルフクラブ数が異なっている。
【００２７】  図６は、第１図から第２図に示した正面ラック（４）の収納部（１４）の横断面図である。この収納部（１４）は、大きくは上から小物入れ（４２）、引き出し部（４４）、（４６）、（４８）と、開き戸部（５０）に分かれ、ゴルフセットの大きさにそれぞれ対応し、取り出しやすく、収納しやすい場所に整理、収納できるようにしている。
【００２８】  開き戸部（５０）は、ここでは三つの区分に分かれているから、中板（５２）、（５４）は取り出せるようになっていて、ゴルフシューズなどの大きさによって、フレキシブルに収納できるようにしている。
【産業上の利用】
【００２９】  本発明は、以上のように作製しているので、ゴルフバッグを一つしか利用しない時も、二つ利用する時にも、同一のラックで用が足りるようにしているため、必然的に量産効果によるコスト減を計ることができる。また、ユーザも夫一人から、夫婦でゴルフを行うようになった場合でも、利用できるため、多少高価で、場所をとるものであっても購入対象となり、購入動機を巾広く与えることができる商品となっている。
【００３０】  以上、本発明は、具体的な実施例を挙げて説明してきたが、本発明はこの具体的例にとらわれるものでではない。例えば付属部品についても、パターハンガーだけでなく、ウッドやアイアンを所定の位置にセットできる凹凸に組み合わせるフックハンガーなども用意してよい。
【図面の簡単な説明】
【００３１】
【図１】は、本発明によるラックの一実施例の正面外観図である。
【図２】は、図１に示したラックに付属している部品の外観図である。
【図３】は、図１に示したラックに図２に示した部品を所定の位置に取り付け、その上で想定上ゴルフセットを設置した時の組み立て想定図である。
【図４】は、図１に示したラックにゴルフバッグ二個を設置（展示）した時の写真図である。
【図５】は、図１と図２に示したラックと部品を適宜組み合わせ、ゴルフバッグやゴルフクラブ、キャップ、メモリアルボールなどを設置（展示）した時の写真図である。図５（ａ）は基台、正面ラック、部品の基本構成部材の配置図、図５（ｂ）は基台と正面ラックにキャップ、グローブ、ハンガーと、メモリアルボールスタンドを取り付けた図、図５（ｃ）は図５（ｂ）のラックにゴルフバッグ一個とゴルフクラブなどを取り付け、キャップ、グローブハンガーに帽子を、メモリアルボールスタンドにメモリアルボールを飾った図
【図６】は、図１に示した正面ラックの横断面図であり、収納部の様子を示す図である。
【図１】
2010063860.tif 000003
【図２】
2010063860.tif 000004
【図３】
2010063860.tif 000005
【図４】
2010063860.tif 000006
【図５】
2010063860.tif 000007
【図６】
2010063860.tif 000008